(57)【要約】【課題】複雑な製造工程を経ることなく、奥行き感や立体感を有する模様が施されたコンタクトレンズ及びこのようなコンタクトレンズの製造方法を提供することを目的とする。【解決手段】本発明は、１又は複数の第１模様と、この第１模様と対をなしかつ異なる色で着色された１又は複数の第２模様とを有するコンタクトレンズである。また、本発明のコンタクトレンズの製造方法は、コンタクトレンズ基材表面に、互いに色の異なる第１模様及び第２模様を形成する工程を有する。【選択図】図１
2013250350.tif 000002
【特許請求の範囲】
【請求項１】
１又は複数の第１模様と、この第１模様と対をなしかつ異なる色で着色された１又は複数の第２模様とを有するコンタクトレンズ。
【請求項２】
上記第２模様が、対応する第１模様をレンズ中心基準に周方向、半径方向又はこれらの合成方向に移動した位置に形成されている請求項１に記載のコンタクトレンズ。
【請求項３】
上記第２模様が、対応する第１模様と略同一形状又は略拡大相似形状である請求項１又は請求項２に記載のコンタクトレンズ。
【請求項４】
上記第１模様と第２模様とが重なり合う部分を有する請求項１、請求項２又は請求項３に記載のコンタクトレンズ。
【請求項５】
上記第１模様と第２模様とが異なる明度又は彩度を有する請求項１から請求項４のいずれか１項に記載のコンタクトレンズ。
【請求項６】
上記第１模様と第２模様とがレンズ中心を中心とした環状領域に形成されている請求項１から請求項５のいずれか１項に記載のコンタクトレンズ。
【請求項７】
上記第１模様及び第２模様が１又は複数の着色ドットからなる請求項１から請求項６のいずれか１項に記載のコンタクトレンズ。
【請求項８】
コンタクトレンズ基材表面に、互いに色の異なる第１模様及び第２模様を形成する工程
を有するコンタクトレンズの製造方法。
【発明の詳細な説明】
【技術分野】
【０００１】
本発明は、模様を有するコンタクトレンズ及びこのコンタクトレンズの製造方法に関する。
【背景技術】
【０００２】
着色により模様が付されたコンタクトレンズは、コスメティック用、医療用、整容用などの用途で用いられており、その他、模様が付されていることで視力矯正用等のコンタクトレンズの取り扱いを容易にするといった機能も有している。このようなコンタクトレンズとしては、レンズ周縁部に複数のドットからなる着色を施したものが開発されている（特開２００１−３１１９１５号公報及び特開２００１−３１１９１６号公報参照）。しかし、従来のコンタクトレンズは、この複数のドットにより奥行き感や立体感を表現できるものではない。
【０００３】
一方、奥行き感を表現したコンタクトレンズとしては、有色層と透明層とが交互に並ぶ少なくとも三層の層構造を有するコンタクトレンズが開発されている（特表２０１０−５２９５０５号公報参照）。しかし、このような多層構造を有するコンタクトレンズは、各層を積層させて製造されるため、製造工程が複雑となり、製造コストの増大にも繋がる。
【先行技術文献】
【特許文献】
【０００４】
【特許文献１】特開２００１−３１１９１５号公報
【特許文献２】特開２００１−３１１９１６号公報
【特許文献３】特表２０１０−５２９５０５号公報
【発明の概要】
【発明が解決しようとする課題】
【０００５】
本発明は、上述のような事情に基づいてなされたものであり、複雑な製造工程を経ることなく、奥行き感や立体感を有する模様が施されたコンタクトレンズ、及びこのようなコンタクトレンズの製造方法を提供することを目的とする。
【課題を解決するための手段】
【０００６】
上記課題を解決するためになされた発明は、
１又は複数の第１模様と、この第１模様と対をなしかつ異なる色で着色された１又は複数の第２模様とを有するコンタクトレンズである。
【０００７】
当該コンタクトレンズによれば、このように対をなしかつ異なる色で着色された第１模様及び第２模様を有するため、この第１模様と第２模様との組合せにより奥行き感及び立体感を表現することができる。例えば、第２模様の明度や彩度を第１模様に比して低くすることで、第１模様が浮き上がって見えるといった効果を奏する。また、この第１及び第２模様は、コンタクトレンズ基材表面への印刷等により比較的容易に設けることができるため、複雑な製造工程を経ることなく奥行き感等を有する模様を施すことができる。
【０００８】
上記第２模様は、対応する第１模様をレンズ中心基準に周方向に移動した位置、レンズ中心基準に半径方向に移動した位置、又はこれらの合成方向に移動した位置（周方向に移動し、かつ半径方向に移動した位置）に形成するとよい。このように第１模様をこのような方向に移動した位置に第２模様を形成することで、より効果的に立体感等を表現することができる。
【０００９】
上記第２模様は、対応する第１模様と略同一形状又は略拡大相似形状であることが好ましい。このように、第１模様と第２模様とが略同一形状又は相似形状であることによっても、より効果的に立体感等を表現することができる。
【００１０】
上記第１模様と第２模様とが重なり合う部分を有するとよい。また、上記第１模様と第２模様とが異なる明度又は彩度を有するとよい。このように２つの模様が重なり合う部分を有することや、明度や彩度を異ならせることで、立体感等をより際立たせることができる。
【００１１】
上記第１模様と第２模様とがレンズ中心を中心とした環状領域に形成されていることが好ましい。このような環状領域に第１及び第２模様を形成することで、装着した際の視野の妨げを抑え、かつ、この模様の奥行き感や立体感を効果的に表現することができる。
【００１２】
上記第１模様及び第２模様が１又は複数の着色ドットからなることが好ましい。このように第１及び第２模様が着色ドットからなることで、色の差異が際立つことなどにより、立体感等がより表現しやすくなる。また、ドット印刷でこれらの模様を形成でき、製造が容易である。
【００１３】
本発明のコンタクトレンズの製造方法は、コンタクトレンズ基材表面に、互いに色の異なる第１模様及び第２模様を形成する工程を有する。当該製造方法によれば、比較的容易な工程で、奥行き感等を有するコンタクトレンズを得ることができる。
【００１４】
ここで、異なる「色」とは、色彩、明度及び彩度の少なくとも一つが異なることをいう。また、長さは、レンズ中心１４における法線方向から見た長さ（平面視における長さ）をいう。
【発明の効果】
【００１５】
以上説明したように、本発明のコンタクトレンズは、施された模様が奥行き感や立体感を有するため、コスメティック用等に好適に用いることができる。また、本発明のコンタクトレンズの製造方法によれば、複雑な製造工程を経ることなく、このような奥行き感や立体感を有する模様が施されたコンタクトレンズを得ることができる。
【図面の簡単な説明】
【００１６】
【図１】本発明のコンタクトレンズの第一の実施形態を示す模式的平面図である。
【図２】本発明のコンタクトレンズの第二の実施形態を示す模式的平面図である。
【図３】本発明のコンタクトレンズの第三の実施形態を示す模式的平面図である。
【図４】本発明のコンタクトレンズの第四の実施形態を示す模式的平面図である。
【図５】本発明のコンタクトレンズの第五の実施形態を示す模式的平面図である。
【図６】本発明のコンタクトレンズの第六の実施形態を示す模式的平面図である。
【発明を実施するための形態】
【００１７】
以下、本発明のコンタクトレンズ及びその製造方法の実施の形態を、適宜図面を参照にしつつ詳説する。
【００１８】
＜コンタクトレンズ＞
（第一の実施形態）
図１のコンタクトレンズ１０は、コンタクトレンズ基材１１と、このコンタクトレンズ基材１１の表面に施された複数の第１模様１２及び複数の第２模様１３とを有する。
【００１９】
当該コンタクトレンズ１０の形状は、従来のコンタクトレンズと同様である。具体的には、当該コンタクトレンズ１０は、眼の角膜の表面に重ね合わされて装用されるように、球状凸面形状を有する表面と、球状凹面形状を有する裏面とを備える部分的な球殻形状である。
【００２０】
当該コンタクトレンズ１０のサイズとしては、特に限定されず、公知のコンタクトレンズと同様のサイズとすることができる。
【００２１】
コンタクトレンズ基材１１の材質としては、特に限定されず、公知の材料を用いることができる。具体的には、ＲＧＰレンズ（酸素透過性レンズ）やＰＭＭＡ（ポリメチルメタアクリレート）等のハードレンズの他、ＰＨＥＭＡ（ポリヒドロキシエチルメタクリレート）等の含水性やアクリル系エラストマー等の非含水性又はシリコーンハイドロゲル等の高酸素透過性などのソフトコンタクトレンズを採用することができる。特に、ソフトコンタクトレンズは、ハードコンタクトレンズに比して、一般に大径であり、模様を付与できる面積が広いため、好適に用いることができる。
【００２２】
当該コンタクトレンズ１０（コンタクトレンズ基材１１）は、角膜に重ね合わされる中央部分に対して特定の光学特性を持たせてもよい。この場合、当該コンタクトレンズ１０は、近視、遠視、乱視、老視等の視力異常に対する矯正機能を備えた視力矯正コンタクトレンズとして用いることができる。また、当該コンタクトレンズ１０は、上記中央部分に光学特性を持たない非視力矯正コンタクトレンズであってもよい。当該コンタクトレンズ１０が非視力矯正コンタクトレンズである場合、例えばコスメティック用などに用いることができる。
【００２３】
各第１模様１２は、ハート型の外縁からなる形状を有する。すなわち、ハート型の外縁のみが着色されており、その内側は透明（非着色）である。また、９つの第１模様１２が、レンズ中心１４を中心とした環状領域に等間隔に形成されている。
【００２４】
各第２模様１３も、第１模様１２と同様に、ハート型の外縁からなる形状を有する。第１模様１２と第２模様１３とは、略同一形状である。なお、第１模様１２と第２模様１３とは、完全な同一形状とすることができる。
【００２５】
また、９つの第２模様１３も、レンズ中心１４を中心とした環状領域に等間隔に形成されている。すなわち、上記第２模様１３が、対応する第１模様１２をレンズ中心１４基準に周方向に移動した位置に形成されている。この周方向への移動量としては、特に制限されないが、１°以上３０°以下が好ましく、３°以上２０°以下がより好ましい。このような移動量とすることで、第２模様１３が対応する第１模様１２の陰影となるように表現でき、立体感等を高めることができる。
【００２６】
上記各第１模様１２と各第２模様１３とは、このようにそれぞれ対となっており、異なる色で着色されている。なお、各第１模様１２は同一色であり、各第２模様も同一色である。上記異なる色とは、色彩、明度及び彩度の少なくとも一つが異なることをいうが、明度又は彩度が異なることが好ましく、色彩が同一で、明度及び／又は彩度が異なることが更に好ましい。このようにすることで、第１模様１２及び第２模様１３とからなる模様の立体感や遠近感がより高まる。なお、例えば、第２模様１３の明度や彩度を第１模様１２に比して低くすることで、第１模様１２が浮き上がって見える。
【００２７】
上記第１模様１２及び第２模様１３は、この各模様を同一の色とすることもできるが、例えば、各第１又は第２模様において、グラデーションをかけてもよい。具体的には、第１又は第２模様において、光線透過率が内周側から外周側に高くなるように着色させることができる。例えば、第１模様１２を単一の色とし、第２模様１３の光線透過率が内周側から外周側に高くなるように着色することで、立体感や奥行き感を高めることができる。
【００２８】
上記第１模様１２及び第２模様１３は、１又は複数の着色ドットからなるドットパターンで形成することができる。なお、第１模様１２及び第２模様１３を複数のドットで形成する場合、複数のドットのサイズを径方向に沿って変化させてもよい。このようにすることで、第１模様１２及び第２模様１３からなる立体模様の奥行き感等をさらに高めることもできる。また、第１模様１２及び第２模様１３はドットではなく、ベタ塗りにて形成されていてもよい。
【００２９】
上記第１模様１２及び第２模様１３が存在する領域（環状領域）の内縁の半径（ｒ）としては、特に限定されないが、３ｍｍ以上７．５ｍｍ以下が好ましく、４ｍｍ以上７ｍｍ以下がさらに好ましい。上記半径（ｒ）が３ｍｍ未満の場合は、装用した際に瞳孔に環状領域（第１模様１２及び第２模様１３）が重なりやすくなり、視界に影響を与えるおそれがある。逆に、上記半径（ｒ）が７．５ｍｍを超える場合は、環状領域（第１模様１２及び第２模様１３）が外側によりすぎたり、十分な幅を確保することができなくなるため、模様に十分な奥行き感等を付与できなくなる場合がある。
【００３０】
なお、環状領域の内縁とは、第１模様１２及び第２模様１３に内接し、レンズ中心１４を中心とする円とする。
【００３１】
上記環状領域の幅（ｗ）も、特に限定されないが、０．０１ｍｍ以上４ｍｍ以下が好ましく、１．５ｍｍ以上３ｍｍ以下がより好ましい。この幅を上記範囲とすることで、視界への影響などを抑えつつ、十分な奥行き感等を模様に付与することができる。
【００３２】
なお、環状領域の幅（ｗ）とは、この環状領域の外縁の半径と内縁の半径との差をいう。この、環状領域の外縁とは、第１模様１２及び第２模様１３に外接し、レンズ中心１４を中心とする円とする。
【００３３】
当該コンタクトレンズ１０が視力矯正コンタクトレンズとして用いられる場合には、光学特性を持たせた中央部の外側に第１模様１２及び第２模様１３を形成することが好ましい。
【００３４】
当該コンタクトレンズ１０によれば、このように対をなしかつ異なる色で着色された第１模様１２及び第２模様１３を有するため、この第１模様１２と第２模様１３との組合せにより奥行き感及び立体感を表現することができる。特に、第２模様１３が、対応する第１模様１２をレンズ中心１４基準に周方向に移動した位置に形成されていること、上記第２模様１３が、対応する第１模様１２と略同一形状であること、上記第１模様１２と第２模様１３とが重なり合う部分を有すること、上記第１模様１２と第２模様１３とがレンズ中心１４を中心とした環状領域に形成されていること等により、効果的に立体感や奥行き感を醸し出すことができる。
【００３５】
（第二の実施形態）
図２のコンタクトレンズ２０は、コンタクトレンズ基材１１と、このコンタクトレンズ基材１１の表面に施された複数の第１模様１２及び複数の第２模様１３と、リンバルリング２５とを有する。コンタクトレンズ基材１１、第１模様１２及び第２模様１３は、図１のコンタクトレンズ１０が有するものと同様であるので、同一番号を付して説明を省略する。
【００３６】
リンバルリング２５は、上記第１模様１２及び第２模様１３が存在する環状領域に設けられている。上記リンバルリングとは、装用される眼の黒目と白目の境界線を跨いで内周側と外周側に広がる環状の着色帯である。なお、リンバルリングは、図２とは異なり、第１模様及び第２模様と重ならないように設けてもよく、第１模様及び第２模様の一部と重なるように設けてもよい。
【００３７】
当該コンタクトレンズ２０は、リンバルリング２５を有するため、黒目の外径を大きく、かつ外縁をはっきりと強調して明確にすることなどができる。また、当該コンタクトレンズ２０は、奥行き感のある模様（第１模様１２及び第２模様１３）と共にリンバルリング２５を有するため、全体としてより自然な奥行き感や立体感等を表現することができ、コスメティック効果等をさらに高めることができる。
【００３８】
リンバルリング２５のサイズとしては、特に限定されないが、径方向幅寸法を０．０１ｍｍ〜４．０ｍｍの範囲内で設定することが好適である。リンバルリング２５の径方向幅寸法を０．０１ｍｍ以上とすることにより瞳孔径を大きく見せる等のコスメティック効果の向上を図ることができる。一方、４．０ｍｍ以下とすることにより外観上でリンバルリングが不自然になるのを効果的に防止することができる。リンバルリング２５は、目的とするコスメティック効果等を充分に得るために、０．０１〜４．０ｍｍの径方向の幅寸法をもって形成されることが好適であり、より好適には０．０１〜２．５ｍｍの径方向の幅寸法で形成される。
【００３９】
リンバルリング２５幅の中心は、レンズ中心１４から４．５ｍｍ〜７．５ｍｍの範囲内に設けられることが望ましい。また、リンバルリング２５の内径寸法はφ８ｍｍ以上が好ましく、外形寸法はφ１５ｍｍ以下が好ましい。一般的な人間の眼を対象とした場合、リンバルリング２５の内径寸法がφ８ｍｍより小さいと、リンバルリングが瞳孔にまで及んで視覚に悪影響を及ぼすおそれがある。一方、リンバルリングの外径寸法がφ１５ｍｍより大きいと、リンバルリングで覆われないでリンバルリングの外周側に位置せしめられる白目の領域が小さくなり過ぎる。このような場合、白目によるリンバルリングや黒目に対する色彩上の強調効果や、反対に黒目やリンバルリングによる白目に対する色彩上の強調効果が不十分になるなどして不自然に見られたり、目的とする眼の美しさの向上効果が充分に達成され難くなるおそれがある。リンバルリングは、内径寸法をφ９．０ｍｍ以上とし、且つ外径寸法をφ１５ｍｍ以下とすることがより好適である。
【００４０】
リンバルリング２５は複数の着色ドットからなるドットパターンで形成することができる。なお、リンバルリング２５を複数のドットで形成する場合、複数のドットのサイズを径方向に沿って変化させてもよい。このようにすることで、リンバルリング２５に奥行き感等を表現することもできる。また、リンバルリング２５をドットではなく、ベタ塗りにて形成してもよい。
【００４１】
リンバルリング２５は、この全領域を同一の濃度とすることもできるが、外周部分の濃度を、内周側から外周側に低下させてもよい。また、リンバルリング２５の内周部分には、径方向所定幅で濃度が一定とされた領域を設けてもよい。リンバルリング２５をこのような濃度で着色することで、より自然な感じのリンバルを表現することができる。なお、このリンバルリング２５の濃度変化は、上述の複数のドットのサイズ、数密度、ドット自体の濃度の変化などにより調整することができる。
【００４２】
リンバルリング２５の色としては、人の黒眼を自然に表現すべく、黒又は茶系が好ましい。リンバルリング２５の色相は、例えばマンセルの表色系で把握される。具体的には、マンセルの色相環において、５つの基本色の各中間に計５つを設けた（Ｒ，ＹＲ，Ｙ，ＧＹ，Ｇ，ＢＧ，Ｂ，ＰＢ，Ｐ，ＲＰ）計１０の色相を想定した場合には、上記黒又は茶系として、色相がＹＲであり、明度が０以上５以下であることが好ましい。また、Ｇ又はＢを含む色（ＧＹ，Ｇ，ＢＧ，Ｂ，ＰＢ）も好ましく、これらの暗色が更に好ましい。
【００４３】
（第三の実施形態）
図３のコンタクトレンズ３０は、コンタクトレンズ基材１１と、このコンタクトレンズ基材１１の表面に施された複数の第１模様３２及び複数の第２模様３３とを有する。コンタクトレンズ３０は、複数の第１模様３２と複数の第２模様３３との位置関係以外は、図１のコンタクトレンズ１０と同様である。
【００４４】
上記第２模様３３は、対応する第１模様３２をレンズ中心１４基準に周方向に移動した位置に形成されている。この周方向への移動量が、図１のコンタクトレンズ１０と比べて大きくなっている（移動量２０°）。当該コンタクトレンズ３０においては、このような移動量とすることで、各第１模様３２と各第２模様３３とが、レンズ中心１４を中心とした環状領域に交互に配置されることになる。
【００４５】
当該コンタクトレンズ３０も、このような第１模様３２及び第２模様３３を有することで、これらにより立体的な模様が表現され、立体感や奥行き感などを付与することができる。
【００４６】
（第四の実施形態）
図４のコンタクトレンズ４０は、コンタクトレンズ基材１１と、このコンタクトレンズ基材１１の表面に施された複数の第１模様４２及び複数の第２模様４３とを有する。コンタクトレンズ４０は、複数の第１模様４２と複数の第２模様４３との位置関係以外は、図１のコンタクトレンズ１０と同様である。
【００４７】
上記第２模様４３は、対応する第１模様４２をレンズ中心１４基準に半径方向に移動した位置に形成されている。この移動量としては、特に制限されないが、０．１ｍｍ以上２ｍｍ以下が好ましい。また、上記第１模様４２と第２模様４３とが重なり合う部分を有する範囲での移動量とすることが好ましい。
【００４８】
当該コンタクトレンズ４０も、このような第１模様４２及び第２模様４３を有することで、これらにより立体的な模様が表現され、立体感や奥行き感などを付与することができる。
【００４９】
（第五の実施形態）
図５のコンタクトレンズ５０は、コンタクトレンズ基材１１と、このコンタクトレンズ基材１１の表面に施された複数の第１模様５２、複数の第２模様５３及び複数の第３模様５４とを有する。コンタクトレンズ５０は、複数の第１模様５２、第２模様５３及び第３模様５４以外は、図１のコンタクトレンズ１０と同様である。
【００５０】
各第１模様５２は、全領域（外縁及び内側）が着色されたハート型の形状を有する。また、９つの第１模様５２が、レンズ中心１４を中心とした環状領域に等間隔に形成されている。
【００５１】
各第２模様５３は、対応する第１模様５２と同じ位置に形成され、第１模様５２と同様に、ハート型の形状を有する。第２模様５３は、第１模様５２の拡大相似形状である。
【００５２】
各第３模様５４は、対応する第１模様５２及び第２模様５３と同じ位置に形成され、第１模様５２と同様に、ハート型の形状を有する。第３模様５４は、第１模様５２の拡大相似形状である。すなわち、第３模様５４の上に第２模様５３が配置され、その上に第１模様５２が配置された構成となっている。
【００５３】
第１模様５２、第２模様５３及び第３模様５４は、互いに異なる色で着色されている。ここで、例えば、第１模様５２、第２模様５３及び第３模様５４において、同一の色相とし、明度又は彩度を徐々に下げて又は上げて行くようにそれぞれを着色させることができる。このようにすることで、第１〜第３模様で形成される模様の立体感や奥行き感をより効果的に表現することができる。
【００５４】
（第六の実施形態）
図６のコンタクトレンズ６０は、コンタクトレンズ基材１１と、このコンタクトレンズ基材１１の表面に施された第１模様６２及び第２模様６３とを有する。コンタクトレンズ６０は、第１模様６２及び第２模様６３以外は、図１のコンタクトレンズ１０と同様である。
【００５５】
第１模様６２は、レンズ中心１４を中心とした環状着色線からなり、虹彩模様を表現している。この環状着色線は周期性を有し、この一周期はランダム状のジグザグ線からなっている。
【００５６】
第２模様６３は、第１模様６２と同一形状であり、第１模様を周方向に移動した位置に形成されている。また、第２模様６３は、第１模様６２と異なる色で着色されている。
【００５７】
当該コンタクトレンズ６０によれば、第１模様６２及び第２模様６３で虹彩模様を表現することで、立体感や奥行き感のある虹彩模様を表現することができる。
【００５８】
（その他の実施形態）
本発明のコンタクトレンズは上記第一〜六の実施形態に限定されない。例えば、第１及び第２模様として、ハート型及び虹彩模様以外に、円、星、くさび状、花柄、楕円、半円等の形状とすることができる。また、第２模様は、対応する第１模様をレンズ中心基準に周方向に移動し、かつ半径方向に移動した位置（周方向と半径方向との合成方向）に形成されていてもよい。さらには、第１模様と第２模様とが重ならないように配置してもよいし、コンタクトレンズ基材の中心部分に配置してもよい。この第１及び第２模様の形状や配置は、用途等に応じて適宜設定すればよい。
【００５９】
＜コンタクトレンズの製造方法＞
当該コンタクトレンズの製造方法は、特に限定されず、例えば、コンタクトレンズ基材表面に、互いに色の異なる第１模様及び第２模様を形成する工程を有する方法を採用することができる。当該製造方法によれば、比較的容易な工程で、奥行き感等を有するコンタクトレンズを得ることができる。
【００６０】
上記第１模様及び第２模様の形成の方法としては、写真印刷、スクリーン印刷、パッド印刷、インクジェット印刷等の印刷や、コンタクトレンズ基材の形成の際のモノマー添加、その他手描きによる方法等を挙げることができる。これらの中でも、レンズ基材表面が球面状であることや、量産性、着色精度、色の再現性等を考慮すると、印刷が好ましく、パッド印刷又はインクジェット印刷がさらに好ましい。
【００６１】
パッド印刷を用いる方法としては、例えば金属板に対してエッチング処理で形成したドットパターンに着色剤を充填した後、シリコンパッドを用いてドットパターンの着色剤を移し取り、コンタクトレンズ基材に対して、かかるドットパターンの着色剤を転写することにより行う。
【００６２】
インクジェット印刷は、ピエゾ素子等をアクチュエータとして着色剤を微小な多数のノズルから吹出させて、被着色面となるコンタクトレンズ基材表面に対して直接に被着させるものである。このようなインクジェット印刷では、コンタクトレンズ基材へのパッド等の押圧が不要であり、微小なドットを高精度に形成できること等から、特に好適である。
【００６３】
なお、上記方法以外の製造方法としては、コンタクトレンズ基材の表面と裏面との層間に、ドットパターンを着色層として配置させる方法を挙げることができる。この具体的方法としては、表面又は裏面側の半層の表面に着色層を設け、残りの半層を接着する方法があげられる。このようにすれば、着色層の両面側にそれぞれ透明層を設けた積層構造のコンタクトレンズを得ることができる。なお、上記着色層は、上述したような印刷にて形成することの他、着色剤を溶解させた着色の成形モノマーを用いて着色樹脂層として形成することもできる。なお、着色層の形成方法や透光性等にもよるが、各少なくとも一層の着色層と透明層からなる積層構造を採用する場合には、各透明層の層厚さを５μｍ〜３００μｍとすると共に、各着色層の層厚さを０．２μｍ〜１００μｍとすることが好ましい。特に着色層として、パッド印刷やインクジェット印刷等による印刷層を採用する場合には、透明層よりも印刷層の厚さが小さく設定されることが好ましい。
【産業上の利用可能性】
【００６４】
以上説明したように、本発明のコンタクトレンズは、施された模様が奥行き感や立体感を有するため、コスメティック用等に好適に用いることができる。
【符号の説明】
【００６５】
１０、２０、３０、４０、５０、６０  コンタクトレンズ
１１  コンタクトレンズ基材
１２、３２、４２、５２、６２  第１模様
１３、３３、４３、５３、６３  第２模様
１４  レンズ中心
２５  リンバルリング
５４  第３模様
【図１】
2013250350.tif 000003
【図２】
2013250350.tif 000004
【図３】
2013250350.tif 000005
【図４】
2013250350.tif 000006
【図５】
2013250350.tif 000007
【図６】
2013250350.tif 000008